(57)【要約】【課題】  レンズ部材及び光学ユニットにおいて、入射した光の利用効率を飛躍的に高めると共に出射する光の分布を整えること。【解決手段】  仮想レンズの入射面を複数の同心円状の分割領域に分割してこれらに対応した複数のプリズム部１３からなるフレネルレンズ部１４を入射面に有するレンズ部材１０であって、仮想レンズが、光源からの光を内部に入射させる凹状レンズ部と、該凹状レンズ部から入射された光を全反射させる凸状レンズ部と、を有し、プリズム部１３が、凹状レンズ部の分割領域に対応したプリズム入射面１３ａと凸状レンズ部の分割領域に対応したプリズム反射面１３ｂとで構成され、フレネルレンズ部１４が、凸状レンズ部のうち外側の分割領域のプリズム部１３ほど内側に配置され、内側の分割領域に対応するプリズム部１３ほど外側に配置されて構成されている。【選択図】図２
2010262187.tif 000002
【特許請求の範囲】
【請求項１】
光源に対向配置される仮想レンズの入射面を前記光源の光軸を中心とした複数の同心円状の分割領域に分割してこれらに対応した屈折角の異なる複数のプリズム部からなるフレネルレンズ部を入射面に有するレンズ部材であって、
前記仮想レンズが、前記光軸の周囲に配され前記光源からの光を内部に入射させる凹状レンズ部と、該凹状レンズ部の周囲に配され前記凹状レンズ部から入射された光を表面で出射面側へ全反射させる凸状レンズ部と、を有し、
前記プリズム部が、前記凹状レンズ部の分割領域に対応したプリズム入射面と該分割領域から入射された前記光を全反射させる前記凸状レンズ部の分割領域に対応したプリズム反射面とで構成され、
前記フレネルレンズ部が、前記凸状レンズ部のうち外側の前記分割領域に対応する前記プリズム部ほど内側に配置され、内側の前記分割領域に対応する前記プリズム部ほど外側に配置されて構成されていることを特徴とするレンズ部材。
【請求項２】
請求項１に記載のレンズ部材において、
入射する前記光を集光する中央凸レンズ部を前記光軸上に有していることを特徴とするレンズ部材。
【請求項３】
請求項１又は２に記載のレンズ部材において、
前記プリズム反射面が、平面で構成されていることを特徴とするレンズ部材。
【請求項４】
請求項１から３のいずれか一項に記載のレンズ部材において、
前記プリズム入射面が、前記光軸に対して傾斜して前記光源側に向けられていることを特徴とするレンズ部材。
【請求項５】
請求項１から４のいずれか一項に記載のレンズ部材において、
前記フレネルレンズ部の反対側の出射面に、出射される前記光の広がりを制御する微細な凹凸が形成されていることを特徴とするレンズ部材。
【請求項６】
ＬＥＤである光源と、
請求項１から５のいずれか一項に記載のレンズ部材と、を備えていることを特徴とする光学ユニット。
【発明の詳細な説明】
【技術分野】
【０００１】
本発明は、例えばＬＥＤ照明等に用いられるレンズ部材及び光学ユニットに関する。
【背景技術】
【０００２】
一般に、照明、プロジェクター、フラッシュ、自動車等のヘッドライト及びテールランプ等のＬＥＤを光源として用いたＬＥＤ光学製品や、狭指向性ＬＥＤ等の基礎光デバイス等には、ＬＥＤから出射された光を集光又はコリメートさせるレンズが使用されている。
このようなレンズは、通常、凸状の屈折レンズが使用されているが、低背化・薄型化を図るためにフレネルレンズを採用することも提案されている。
【０００３】
従来、例えば特許文献１には、内面の光軸近傍の中央部に格子状屈折系プリズム部を形成すると共に、該格子状屈折系プリズム部の周辺部に格子状反射系プリズム部が形成された灯具のレンズが提案されている。また、特許文献２には、入射面であるフレネルレンズ面のプリズムのうちの一部を、入射した光線の一部が非レンズ面で全反射したのち出射面へ出射するように形成したフレネルレンズが提案されている。さらに、特許文献３には、レンズ体を光軸の中心部に設けた屈折レンズ部と、反射体部とから構成され、反射体部が、内側の面部から光線を入射させると共に放物面状をなす反射面で全反射して平行光線に変換する光学装置が提案されている。
【先行技術文献】
【特許文献】
【０００４】
【特許文献１】特開昭５７−５５００２号公報
【特許文献２】特開昭５９−１１９３４０号公報
【特許文献３】特開平５−２８１４０２号公報
【発明の概要】
【発明が解決しようとする課題】
【０００５】
しかしながら、上記従来の技術には、以下の課題が残されている。
すなわち、上記特許文献１から３のレンズでは、入射した光の一部が反射面に達せずロスが生じてしまい、光の利用効率を最大とすることが難しいという不都合があった。例えば、特許文献３では、入射面と屈折レンズ部との間に、入射した光が反射面に到達しない部分があるため、この部分を透過した光が損失となっている。
また、ＬＥＤを光源として使用した場合、放射光は放射角度が大きくなるほど光強度が小さくなる配光分布を有しているため、図３に示すように、従来のＴＩＲ（Total Internal Reflection）レンズ１を使用したとき、光源２に対向して配置されたＴＩＲレンズ１の凹状レンズ部３の入射面から入射された光は、外側の凸状レンズ部４の反射面で全反射されるが、比較的光強度の強い中央部周辺の光Ｌ２が凸状レンズ部４の外周側の反射面で反射されることになる。したがって、このＴＩＲレンズ１では、中心付近の光度が高いが、中間付近の光度が低くなると共に外側の光度が高くなってしまう。そのため、このＴＩＲレンズ１を従来の手法でフレネルレンズ化しても、出射された光に光軸を中心としたリング状のフレアが発生して見栄えが悪くなってしまう。
さらに、特許文献３のレンズでは、反射レンズ部の入射面及び出射面が共に非球面となっているため、加工も難しくコストも高くなってしまう問題がある。
【０００６】
本発明は、前述の課題に鑑みてなされたもので、入射した光の利用効率を飛躍的に高めると共に出射する光の分布を整えることができるレンズ部材及び光学ユニットを提供することを目的とする。
【課題を解決するための手段】
【０００７】
本発明は、前記課題を解決するために以下の構成を採用した。すなわち、本発明のレンズ部材は、光源に対向配置される仮想レンズの入射面を前記光源の光軸を中心とした複数の同心円状の分割領域に分割してこれらに対応した屈折角の異なる複数のプリズム部からなるフレネルレンズ部を入射面に有するレンズ部材であって、前記仮想レンズが、前記光軸の周囲に配され前記光源からの光を内部に入射させる凹状レンズ部と、該凹状レンズ部の周囲に配され前記凹状レンズ部から入射された光を表面で出射面側へ全反射させる凸状レンズ部と、を有し、前記プリズム部が、前記凹状レンズ部の分割領域に対応したプリズム入射面と該分割領域から入射された前記光を全反射させる前記凸状レンズ部の分割領域に対応したプリズム反射面とで構成され、前記フレネルレンズ部が、前記凸状レンズ部のうち外側の前記分割領域に対応する前記プリズム部ほど内側に配置され、内側の前記分割領域に対応する前記プリズム部ほど外側に配置されて構成されていることを特徴とする。
【０００８】
このレンズ部材では、フレネルレンズ部が、凸状レンズ部のうち外側の分割領域に対応するプリズム部ほど内側に配置され、内側の分割領域に対応するプリズム部ほど外側に配置されて構成されているので、比較的光強度の強い中央部周辺の光が内側のプリズム部の入射面から入射されると共に該プリズム部の反射面で全反射されることになる。したがって、従来のＴＩＲレンズでは外側で出射していた強い光を、本発明では内側の中間付近で出射させることができる。これにより、中心から外側に向かって徐々に光度が下がって中心が明るく外側が暗い輝度分布が得られ、リング状のフレアの発生を抑制し、見栄えを改善することができる。
また、互いに対応した入射面と反射面とが稜線を介して連続して各プリズム部を構成しているので、入射面から入射された光が全て反射面に到達して全反射され、光の利用効率を飛躍的に向上させることができる。
なお、フレネルレンズ部においてフレネル化する際に分割数を多くすることで、より集光性を高めることも可能である。
【０００９】
また、本発明のレンズ部材では、前記光軸上に、入射する前記光を集光する中央凸レンズ部を有していることを特徴とする。
すなわち、このレンズ部材では、光軸上に、入射する光を集光する中央凸レンズ部を有しているので、さらに中央部の光度を高めることができる。
【００１０】
また、本発明のレンズ部材では、前記プリズム反射面が、平面で構成されていることを特徴とする。
すなわち、このレンズ部材では、プリズム反射面が、平面で構成されているので、加工が非常に容易になり、安価に作製することができる。
【００１１】
また、本発明のレンズ部材では、前記プリズム入射面が、前記光軸に対して傾斜して前記光源側に向けられていることを特徴とする。
すなわち、このレンズ部材では、プリズム入射面が、光軸に対して傾斜して光源側に向けられているので、光が入射し易いと共に、プリズム入射面と光軸とが平行でないため、成形する際に離型性を向上させることができ、品質の良いレンズ部材を得ることができる。
【００１２】
また、本発明のレンズ部材では、前記フレネルレンズ部の反対側の出射面に、出射される前記光の広がりを制御する微細な凹凸が形成されていることを特徴とする。
すなわち、このレンズ部材では、フレネルレンズ部の反対側の出射面に、出射される光の広がりを制御する微細な凹凸が形成されているので、フレネルレンズ部で可能な限り集光させた光を、出射面の凹凸により所望の指向性で出射させることが容易になる。
【００１３】
本発明の光学ユニットは、ＬＥＤである光源と、上記本発明のレンズ部材と、を備えていることを特徴とする。
すなわち、この光学ユニットでは、ＬＥＤである光源に対向配置された上記本発明のレンズ部材を備えているので、ＬＥＤから出射された光の利用効率が高いと共に見栄えの良好な照明、プロジェクター、フラッシュ、自動車のヘッドランプ・テールランプ等のＬＥＤ光学製品などを得ることができる。
【発明の効果】
【００１４】
本発明によれば、以下の効果を奏する。
すなわち、本発明に係るレンズ部材及び光学ユニットによれば、フレネルレンズ部が、凸状レンズ部のうち外側の分割領域に対応するプリズム部ほど内側に配置され、内側の分割領域に対応するプリズム部ほど外側に配置されて構成されているので、出射される光の見栄えを改善することができると共に、光の利用効率を飛躍的に向上させることができる。
【図面の簡単な説明】
【００１５】
【図１】本発明に係るレンズ部材及び光学ユニットの一実施形態において、レンズ部材を示す平面図である。
【図２】図１のＡ−Ａ線断面図である。
【図３】本実施形態において、従来のＴＩＲレンズ及び仮想レンズの原理説明図である。
【図４】本実施形態において、レンズ部材及び光学ユニットの原理説明図である。
【図５】本実施形態において、光学ユニットを示す断面図である。
【図６】本実施形態において、光学ユニットを示す斜視図である。
【図７】本実施形態において、シミュレーション用に設定した仮想レンズ（従来のＴＩＲレンズ）及びレンズ部材を示す断面図である。
【図８】本実施形態において、仮想レンズ（従来のＴＩＲレンズ）及びレンズ部材についてシミュレーションによる出射面での輝度分布を濃淡で示す輝度特性図である。
【図９】本実施形態において、仮想レンズ（従来のＴＩＲレンズ）及びレンズ部材についてシミュレーションによる断面輝度分布を示すグラフである。
【図１０】本実施形態の他の例において、レンズ部材を示す断面図である。
【発明を実施するための形態】
【００１６】
以下、本発明に係るレンズ部材及び光学ユニットの一実施形態を、図１から図１０に基づいて説明する。なお、以下の説明に用いる各図面では、各部材を認識可能な大きさとするために縮尺を適宜変更している。
【００１７】
本実施形態におけるレンズ部材１０は、図１から図４に示すように、ＬＥＤである光源２に対向配置される仮想レンズ１１の入射面を光源２の光軸ＡＸを中心とした複数の同心円状の分割領域３ａ〜３ｃ，４ａ〜４ｃに分割してこれらに対応した屈折角の異なる複数のプリズム部１３，１３Ａ〜１３Ｃからなるフレネルレンズ部１４を入射面に有するＴＩＲレンズである。
なお、このレンズ部材１０は、アクリル樹脂などの光透過性材料で一体成形されたものである。
【００１８】
このレンズ部材１０は、上記仮想レンズ１１が、光軸ＡＸの周囲に配され光源２からの光を内部に入射させる凹状レンズ部３と、該凹状レンズ部３の周囲に配され凹状レンズ部３から入射された光を表面で出射面側へ全反射させる凸状レンズ部４と、を有しているＴＩＲレンズと仮定して、プリズム部１３，１３Ａ〜１３Ｃが、凹状レンズ部３の分割領域３ａ〜３ｃに対応したプリズム入射面１３ａと該分割領域３ａ〜３ｃから入射された光を全反射させる凸状レンズ部４の分割領域４ａ〜４ｃに対応したプリズム反射面１３ｂとで構成されている。
【００１９】
すなわち、図３及び図４に示すように、仮想レンズ１１の凹状レンズ部３において中央部周辺の内側の分割領域３ａと該分割領域３ａから入射した光が全反射される凸状レンズ部４の外周部周辺の外側の分割領域４ａとは、フレネルレンズ化により、本実施形態のレンズ部材１０の中央部周辺のプリズム部１３Ａのプリズム入射面１３ａと該プリズム部１３Ａのプリズム反射面１３ｂとに相当する。
【００２０】
また、仮想レンズ１１の凹状レンズ部３において凸状レンズ部４に近い外側の分割領域３ｃと該分割領域３ｃから入射した光が全反射される凸状レンズ部４の内周部周辺の内側の分割領域４ｃとは、本実施形態のレンズ部材１０の外周部周辺のプリズム部１３Ｃのプリズム入射面１３ａと該プリズム部１３Ｃのプリズム反射面１３ｂとに相当する。
【００２１】
このように上記フレネルレンズ部１４は、凸状レンズ部４のうち外側の分割領域４ａ〜４ｃに対応するプリズム部１３ほど内側に配置され、内側の分割領域４ａ〜４ｃに対応するプリズム部１３ほど外側に配置されて構成されている。したがって、各プリズム部１３は、光源２との相対的な位置によって頂角が変化している。
【００２２】
また、本実施形態のレンズ部材１０は、仮想レンズ１１の中央に形成された中央凸レンズ部１１ａに対応して、入射する光を集光する中央凸レンズ部１２を光軸ＡＸ上に有している。すなわち、円環状のフレネルレンズ部１４の中央に中央凸レンズ部１２が設けられている。この中央凸レンズ部１２は、例えば非球面で構成された凸状の屈折レンズである。
【００２３】
上記プリズム反射面１３ｂは、平面又は放物面・双曲面・楕円面などの２次曲面で構成されているが、加工性を考慮すると平面で構成されることが好ましい。
上記プリズム入射面１３ａは、光軸ＡＸに対して傾斜して光源２側に向けられている。また、プリズム入射面１３ａは、平面又は凸状の２次曲面で構成されているが、加工性を考慮すると平面で構成されることが好ましい。
なお、フレネルレンズ部１４の反対側の出射面は、平坦面であるが、出射される光の広がりを制御する微細な凹凸（図示略）を形成しても構わない。
【００２４】
次に、本実施形態のレンズ部材１０において、光源２からの光の入射及び出射について説明する。
例えば、図３に示す仮想レンズ１１を図４に示すようにフレネル化した本実施形態のレンズ部材１０では、仮想レンズ１１と同様に、光源２から直上方向に出射された最も光強度の強い光Ｌ１は、光源２の光軸ＡＸ上にある中央凸レンズ部１２で集光されて反対側の出射面中央から出射される。
【００２５】
また、仮想レンズ１１では、光源２から光軸ＡＸに対してやや斜め方向に出射された比較的光強度の強い中央部周辺の光Ｌ２は、内側の凹状レンズ部３の入射面（分割領域３ａ）から入射されると共に凸状レンズ部４の外側の反射面（分割領域４ａ）で全反射され、出射面の外周部近傍から出射される。
これに対して本実施形態のレンズ部材１０では、光源２から光軸ＡＸに対してやや斜め方向に出射された比較的光強度の強い中央部周辺の光Ｌ２は、内側のプリズム部１３Ａのプリズム入射面１３ａから入射されると共に該プリズム部１３Ａのプリズム反射面１３ｂで全反射され、出射面の中央部近傍から出射される。
【００２６】
さらに、仮想レンズ１１では、光源２から光軸ＡＸに対して大きく斜め方向に出射された比較的光強度の弱い光Ｌ３は、内側の凹状レンズ部３の入射面（分割領域３ｃ）から入射されると共に凸状レンズ部４の内側の反射面（分割領域４ｃ）で全反射され、出射面の中央部近傍から出射される。
これに対して本実施形態のレンズ部材１０では、光源２から光軸ＡＸに対して大きく斜め方向に出射された比較的光強度の弱い光Ｌ３は、外側のプリズム部１３Ｃのプリズム入射面１３ａから入射されると共に該プリズム部１３Ｃのプリズム反射面１３ｂで全反射され、出射面の外周部近傍から出射される。
【００２７】
次に、本実施形態の光学ユニット２０は、図５及び図６に示すように、ＬＥＤである上記光源２と、上記レンズ部材１０と、これらを収納する筐体２１と、を備えている。
上記筐体２１は、上面部の中央に光源２が設置された半球状部２２と、レンズ部材１０を収納していると共に半球状部２２の上面部に設置される略円筒状のレンズ支持枠部２３と、を備えている。該レンズ支持枠部２３は、互いに中心軸を合わせてレンズ部材１０を光源２に対向状態にし、半球状部２２の上面部に設置される。
【００２８】
次に、本実施形態のレンズ部材１０について、輝度特性に関してシミュレーションした結果を、図７から図９を参照して説明する。
【００２９】
まず、仮想レンズ１１を、図７の（ａ）に示すように、従来のＴＩＲレンズと同形状とした場合、出射面での輝度分布をシミュレーションすると、図８の（ａ）に示すように、リング状のフレアが発生していると共に、断面輝度分布のシミュレーション結果では、図１０の（ａ）に示すように、輝度の落ち込みが生じていることがわかる。
【００３０】
これに対して、図７の（ｂ）に示すように、本実施形態のレンズ部材１０について、出射面での輝度分布をシミュレーションすると、図８の（ｂ）に示すように、リング状のフレアが無いと共に、断面輝度分布のシミュレーション結果では、図９の（ｂ）に示すように、中心から外側に向かって徐々に光度が低く、見栄えが向上していることがわかる。なお、上記輝度特性は、指向性の半値幅内におけるシミュレーションである。
【００３１】
このように本実施形態のレンズ部材１０では、フレネルレンズ部１４が、凸状レンズ部４のうち外側の分割領域３ａ〜３ｃに対応するプリズム部１３ほど内側に配置され、内側の分割領域３ａ〜３ｃに対応するプリズム部１３ほど外側に配置されて構成されているので、比較的光強度の強い中央部周辺の光が内側のプリズム部１３のプリズム入射面１３ａから入射されると共に該プリズム部１３のプリズム反射面１３ｂで全反射されることになる。
【００３２】
したがって、従来のＴＩＲレンズやフレネルレンズでは外側で出射していた強い光を、本実施形態のレンズ部材１０では内側の中間付近で出射させることができる。
また、光軸ＡＸ上に、入射する光を集光する中央凸レンズ部１２を有しているので、さらに中央部の光度を高めることができる。
これにより、本実施形態のレンズ部材１０では、中心から外側に向かって徐々に光度が下がって中心が明るく外側が暗い輝度分布が得られ、リング状のフレアの発生を抑制し、見栄えを改善することができる。
【００３３】
また、互いに対応した入射面と反射面とが稜線を介して連続して各プリズム部１３を構成しているので、入射面から入射された光が全て反射面に到達して全反射され、光の利用効率を飛躍的に向上させることができる。
なお、フレネルレンズ部１４においてフレネル化する際に分割数を多くすることで、より集光性を高めることも可能である。
【００３４】
また、プリズム反射面１３ｂが、平面で構成されているので、加工が非常に容易になり、安価に作製することができる。
さらに、プリズム入射面１３ａが、光軸ＡＸに対して傾斜して光源２側に向けられているので、光が入射し易いと共に、プリズム入射面１３ａと光軸ＡＸとが平行でないため、成形する際に離型性を向上させることができ、品質の良いレンズ部材１０を得ることができる。
【００３５】
また、フレネルレンズ部１４の反対側の出射面に、出射される光の広がりを制御する微細な凹凸を形成することにより、フレネルレンズ部１４で可能な限り集光させた光を、出射面の凹凸により所望の指向性で出射させることが容易になる。
したがって、このレンズ部材１０を備えた光学ユニット２０では、ＬＥＤの光源２から出射された光の利用効率が高いと共に見栄えの良好な照明、プロジェクター、フラッシュ、自動車のヘッドランプ・テールランプ等のＬＥＤ光学製品などを得ることができる。
【００３６】
なお、本発明は上記実施形態に限定されるものではなく、本発明の趣旨を逸脱しない範囲において種々の変更を加えることができる。
例えば、本実施形態の他の例として、上記とは異なる形状の凹状レンズ部及び凸状レンズ部を有する仮想レンズに対応して、図１０の（ａ）（ｂ）（ｃ）に示すように、上記と異なる曲面の中央凸レンズ部１２と異なる分割数などのフレネルレンズ部１４とでレンズ部材１０Ａ，１０Ｂ，１０Ｃを構成しても構わない。
【符号の説明】
【００３７】
２…光源、３…凹状レンズ部、３ａ〜３ｃ…凹状レンズ部の分割領域、４…凸状レンズ部、４ａ〜４ｃ…凸状レンズ部の分割領域、１０，１０Ａ〜１０Ｃ…レンズ部材、１１…仮想レンズ、１２…中央凸レンズ部、１３，１３Ａ〜１３Ｃ…プリズム部、１３ａ…プリズム入射面、１３ｂ…プリズム反射面、１４…フレネルレンズ部、２０…光学ユニット、ＡＸ…光源の光軸
【図１】
2010262187.tif 000003
【図２】
2010262187.tif 000004
【図３】
2010262187.tif 000005
【図４】
2010262187.tif 000006
【図５】
2010262187.tif 000007
【図６】
2010262187.tif 000008
【図９】
2010262187.tif 000009
【図１０】
2010262187.tif 000010
【図７】
2010262187.tif 000011
【図８】
2010262187.tif 000012